(57)【要約】【課題】地上デジタル放送を視聴時にチャンネルの切り換えを行う場合に、ユーザが選択した切り換え先のチャンネルの放送状況を、ユーザに即時に報知することができる技法を提供する。【解決手段】複数のチャンネルを有する放送信号を受信する受信手段(ANT1)と、受信手段(ANT1)により受信される複数のチャンネルの切り換えを要求する操作入力手段(TP)と、操作入力手段(TP)の入力に応じて振動する振動手段(190)と、複数のチャンネルの番組情報を取得する取得手段(200)と、取得した番組情報を格納する番組情報記憶手段(182)と、切り換え先のチャンネルでの放送内容を、番組情報に基づき判定する判定手段(162)と、判定手段(162)による判定に基づいて振動手段(190)の振動を制御する振動制御手段(164)とを備えることを特徴とする。【選択図】図１
2008187356.tif 000002
【特許請求の範囲】
【請求項１】
複数のチャンネルを有する放送信号を受信する受信手段と、
前記受信手段により受信される複数のチャンネルの切り換えを要求する操作入力手段と、
前記操作入力手段の入力に応じて振動する振動手段と、
前記複数のチャンネルの番組情報を取得する取得手段と、
前記取得した番組情報を格納する番組情報記憶手段と、
前記操作入力手段の入力に応じた切り換え先のチャンネルでの放送内容を、前記番組情報記憶手段に格納した番組情報に基づき判定する判定手段と、
前記判定手段による判定に基づいて前記振動手段の振動を制御する振動制御手段と、
を備えることを特徴とする放送受信装置。
【請求項２】
請求項１に記載の放送受信装置において、
前記判定手段は、前記操作入力手段の入力に応じた切り換え先のチャンネルが番組を放送しているか否かを判定し、
前記振動制御手段は、前記判定手段の判定に応じて異なる振動パターンで振動するように前記振動手段を制御する、
ことを特徴とする放送受信装置。
【請求項３】
請求項１に記載の放送受信装置において、
前記判定手段は、前記操作入力手段の入力に応じた切り換え先のチャンネルで放送中の番組のジャンルを判定し、
前記振動制御手段は、前記判定手段の判定に応じて異なる振動パターンで振動するように前記振動手段を制御する、
ことを特徴とする放送受信装置。
【請求項４】
請求項１に記載の放送受信装置において、
前記番組情報に対応するキーワードを設定するキーワード設定手段をさらに備え、
前記判定手段は、前記操作入力手段の入力に応じた切り換え先のチャンネルの番組情報が、前記キーワード設定手段において設定されたキーワードを含むか否かを判定し、
前記振動制御手段は、前記判定手段の判定に応じて異なる振動パターンで振動するように前記振動手段を制御する、
ことを特徴とする放送受信装置。
【請求項５】
請求項１〜４のいずれか１項に記載の放送受信装置において、
前記複数のチャンネルに対応する選局キーを少なくとも表示する表示手段をさらに備え、
前記操作入力手段が、前記表示手段の前面に配置されたタッチパネルとして構成され、
前記制御手段が、少なくとも前記タッチパネルを振動させる、
ことを特徴とする放送受信装置。
【発明の詳細な説明】
【技術分野】
【０００１】
本発明は、地上デジタル放送を受信できる放送受信装置に関し、より詳細には、放送波またはインターネットから、ＥＰＧ（Electric Program Guide、電子番組表）を取得および格納する機能を備え、ユーザにより選択されたチャンネル放送情報（番組が放送されているか否かまたは番組のジャンル等）を、ユーザに即時に報知することのできる放送受信装置およびその制御方法に関する。
【背景技術】
【０００２】
地上デジタル放送を視聴可能な放送受信装置において、ユーザは、各チャンネルの番組内容や、番組を放送しているか否か等、自分の好む番組を放送しているか否かを知るために、チャンネルの切り換え操作を行う。しかしながら地上デジタル放送の受信装置は、チャンネルを切り換えてから画面に切り換え先のチャンネルの映像が表示されるまでに、最短でも２、３秒を要し、切り換えとほぼ同時に映像が表示されていた従来の地上アナログ放送に比べて、大幅に時間がかかるという問題がある。その理由は、地上デジタル放送におけるチャンネル切り換え時の処理は、アナログ放送とは異なり、以下のような複雑な処理を要するためである。
・放送波に同期し安定した信号を取得する処理
・受信した信号を同期再生する処理
・誤り訂正の処理
・放送ＴＳ（Transport Stream）の復号処理
・映像（音声）のデコード処理
・画面出力（音声出力）
【０００３】
ユーザが視聴したい番組を確実に視聴にするための技法として、従来技術に、ユーザが予め設定したキーワードを含む番組のデジタル放送波を受信すると、音声によってその旨をユーザに報知するものがある（特許文献１を参照されたい。）
【特許文献１】特開２００５−１７５９２１号公報
【発明の開示】
【発明が解決しようとする課題】
【０００４】
しかしながら、特許文献１に記載されている技法は、ユーザが地上デジタル放送を視聴していない場合を想定しており、ユーザが地上デジタル放送を視聴しながら意識してチャンネルを切り換える場合に、切り換えた先のチャンネルが設定したキーワードを含む番組を放送しているか否かをユーザに報知するものではない。さらに、地上デジタル放送の場合、一般にザッピングと呼ばれる頻繁なチャンネル切り換えを行おうとすると、上述したようにチャンネル切り換え処理に時間がかかるため、ユーザの意図するようなチャンネル切り換え、すなわち、画面に表示されるチャンネル映像の遷移がスムーズに行われず、ユーザにとって操作性が悪く不便である。チャンネルの切り換え処理に２秒、ユーザが番組の内容を把握するのに３〜５秒かかるとすると、ザッピングを行うのにかかる時間は、１チャンネル当たり５〜７秒となる。このような条件では、アナログ放送を受信する場合のような、素早いチャンネル切り換えは行えない。
【０００５】
したがって、かかる点に鑑みてなされた本発明の目的は、ユーザが地上デジタル放送を視聴時にザッピングを含むチャンネルの切り換えを行う場合に、放送受信装置によるチャンネル切り換え処理の遅れにより番組映像が即時に表示されなくとも、切り換え先のチャンネルの放送情報（番組を放送しているか否かまたは放送している番組のジャンル等）を、ユーザに報知することができる技法（装置）を提供することである。
【課題を解決するための手段】
【０００６】
上述した諸課題を解決すべく、第１の発明による放送受信装置は、
（放送局から送信される）複数のチャンネルを有する放送信号（地上デジタル放送信号）を受信する受信手段と、
（ユーザが、）前記受信手段により受信される複数のチャンネルの切り換えを要求する操作入力手段と、
前記操作入力手段の入力に応じて振動する振動手段と、
（前記操作入力手段の入力に応じた切り換え先のチャンネルに切り換える選局手段と、）
（前記受信手段により受信されるチャンネルの映像を表示する映像表示手段と、）
前記複数のチャンネルの（チャンネル、番組放送時間、番組名、および番組放送内容の説明を含む）番組情報を（放送局から送信される放送信号またはインターネットを介したデータ通信等で、定期的にまたはユーザから要求されたときに）取得する取得手段と、
前記取得した番組情報を（チャンネル毎に）格納する番組情報記憶手段と、
前記操作入力手段の入力に応じた切り換え先のチャンネルでの放送内容を、前記番組情報記憶手段に格納した番組情報に基づき判定する判定手段と、
前記判定手段による判定に基づいて前記振動手段の振動を制御する振動制御手段と、
を備えることを特徴とする。
【０００７】
第２の発明による放送受信装置は、
前記判定手段は、前記操作入力手段の入力に応じた切り換え先のチャンネルが番組を放送しているか否かを判定し、
前記振動制御手段は、前記判定手段の判定に応じて異なる振動パターンで振動するように前記振動手段を制御する、
ことを特徴とする。
【０００８】
第３の発明による放送受信装置は、
前記判定手段は、前記操作入力手段の入力に応じた切り換え先のチャンネルで放送中の番組のジャンルを判定し、
前記振動制御手段は、前記判定手段の判定に応じて異なる振動パターンで振動するように前記振動手段を制御する、
ことを特徴とする。
【０００９】
第４の発明による放送受信装置は、
（ユーザにより）前記番組情報に対応するキーワードを設定するキーワード設定手段をさらに備え、
前記判定手段は、前記操作入力手段の入力に応じた切り換え先のチャンネルの番組情報が、前記キーワード設定手段において設定されたキーワードを含むか否かを判定し、
前記振動制御手段は、前記判定手段の判定に応じて異なる振動パターンで振動するように前記振動手段を制御する、
ことを特徴とする。
【００１０】
さらに、第５の発明による放送受信装置は、
前記複数のチャンネルに対応する選局キーを少なくとも表示する表示手段をさらに備え、
前記操作入力手段が、前記表示手段の前面に配置されたタッチパネルとして構成され、
前記制御手段が、少なくとも前記タッチパネルを振動させる、
ことを特徴とする。
【発明の効果】
【００１１】
このように、本発明によれば、チャンネルの切り換え処理に時間がかかるために番組映像の表示に時間のかかる放送受信装置においても、切り換え先のチャンネルに応じてユーザに異なる振動を伝えることで、ユーザは、番組映像によって視覚的に切り換え先のチャンネルの内容を確認する場合よりも迅速に、放送内容を確認することができる。
【発明を実施するための最良の形態】
【００１２】
以降、諸図面を参照しながら、本発明による放送受信装置の実施態様を詳細に説明する。放送受信装置としては、携帯電話、ＰＤＡ（パーソナルデジタルアシスタンス）、携帯ゲーム機、携帯ビデオプレイヤー、携帯電子書籍ビューワーなどの携帯電子機器に幅広く本発明を適用することが可能である。
【００１３】
図１に、本発明による放送受信装置の機能ブロック図を示す。放送受信装置１００は、アンテナＡＮＴ１、ＡＮＴ２、チューナ部１１０、復調部１２０、分岐部１３０、処理部１４０、スピーカＳＰ、表示部１５０、制御部１６０、無線部１７０、記憶部１８０、操作入力部（タッチパネル等）ＴＰ、振動部１９０および番組情報取得部２００を備えている。アンテナＡＮＴ１は、地上デジタル放送の信号（ＲＦ信号）を受信し、チューナ部１１０は、制御部１６０からの周波数（チャンネル）指定命令に基づいて、受信したＲＦ信号をチューニング（周波数変換）する。なお、制御部１６０からのチャンネル指定命令は、操作入力部ＴＰを用いてユーザが指定したチャンネルに基づく。復調部１２０は、チューナ部１１０によってチューニングされたチャンネル信号を、ＭＰＥＧ形式のＴＳ信号に復調する。分岐部１３０は、復調部１２０によって復調されたＴＳ信号内のパケットＩＤに基づき、音声パケット、映像パケット、データ放送パケットを検出し、音声パケットを音声処理部１４０に、映像パケットを映像処理部１４４に、データ放送パケットをデータ処理部１４６に出力する。なお、音声処理部１４０、映像処理部１４４およびデータ処理部１４６は処理部１４０に備えられている。音声処理部１４２は、入力された音声パケット内の音声データをデコードし、スピーカＳＰに出力する。映像処理部１４４およびデータ処理部１４６は、入力された映像データおよびデータ放送パケットをそれぞれデコードし、表示部１５０に出力する。
【００１４】
無線部１７０は、アンテナＡＮＴ２を介して、音声通話、メール送受信、およびインターネットからのデータダウンロード等の無線通信を行う。番組情報取得部２００は、チャンネル、番組放送時間、番組名および番組放送内容の説明を含む番組情報を、無線部１７０の無線通信により、定期的にまたはユーザから要求されたときに取得する。記憶部（メモリ等）１８０は、番組情報取得部２００が取得した番組情報を格納する番組情報記憶部１８２を備えている。操作入力部ＴＰは、ユーザにより、チャンネルの切り換え操作およびキーワード設定等の操作を入力される。制御部１６０は、放送受信装置１００の各機能部の制御を行うものであり、番組情報判定部１６２および振動制御部１６４を備えている。番組情報判定部１６２は、操作入力部ＴＰの入力に応じた切り換え先のチャンネルでの放送内容等を、番組情報記憶部１８０に格納した番組情報に基づき判定し、振動制御部１６４は、番組情報判定部１６２の判定に基づいて、振動部１９０の振動パターンの制御を行う。
【００１５】
図２に、放送受信装置１００の一例の概略図を示す。放送受信装置１００は表示部１５０に相当するディスプレイ（液晶ディスプレイ、有機ＥＬおよびＬＥＤディスプレイ等）ＤＩＳを備え、操作入力部ＴＰおよび振動部１９０は、それ自身が振動するフォースフィードバック機能を有するタッチパネルとして構成している。タッチパネルＴＰにはキー群ＫＥＹが表示されており、キー群ＫＥＹは、各チャンネルにそれぞ対応する数値キーＫＥＹ１、チャンネルを順次選択するシフトキーＫＥＹ２を含む。図２の例では、放送受信装置１００を筐体を開閉できる折り畳み型としており、同図（ａ）は筐体を閉じた状態（ディスプレイＤＩＳおよびタッチパネルＴＰを収納した状態）、（ｂ）は筐体を開けた状態（開放状態）、（ｃ）は開放状態の側面図を示す。  
【００１６】
第１の実施例
本発明による放送受信装置１００の第１の実施例では、ユーザがタッチパネルＴＰに表示されたキーによってチャンネルを切り換える際に、放送サービスが提供されていないチャンネル（例えば、チャンネル「２」に該当する放送局が存在しない場合）を選択すると、放送受信装置１００は、タッチパネルＴＰを、放送サービスを提供しているチャンネルを選択した場合とは異なるパターンで振動するように制御する。この制御は、放送受信装置１００のディスプレイＤＩＳに番組映像が表示される前に、ユーザの選局に対して即座（同時）に行われて、ユーザが指又はペンでタッチパネルに触れている間に振動を伝えるようにするのが好適である（選局のためにユーザがタッチパネルに触れるのはごく短時間であるため。）。図３に、第１の実施例を説明する放送受信装置１００の概略図を、図４に、第１の実施例の制御フローチャートを示す。まず、番組情報取得部２００は、ＥＰＧ情報（チャンネル、番組放送時間、番組名、および番組放送内容の説明を含む）を、事前に放送局から送信される放送信号またはインターネットを介したデータ通信等で取得し、番組情報記憶部１８２に格納する（ステップＳ１０）。なお、図５にＥＰＧの一例を示す。このように、ＥＰＧには、放送局（「東京テレビ」など）およびそれに該当するチャンネル、番組ジャンル（スポーツ、バラエティなど）、放送時刻および出演者等の情報が含まれ、図５の例では番組ジャンルごとに異なる色で番組を表示して、ユーザが容易に放送されている番組ジャンルを理解できるようにしている。
【００１７】
制御部１６０は、タッチパネルＴＰにて受けた、例えばタッチペンＰＥＮを用いたユーザからの起動要求に基づき、テレビアプリを起動する（ステップＳ１１）。次に、番組情報判定部１６２は、番組情報記憶部１８２に格納したＥＰＧ情報に基づき、放送サービスが提供されているチャンネルを判定し、判定結果を記憶部１８０に格納する（ステップＳ１２）。ユーザによるタッチパネルＴＰを介したチャンネルの切り換え要求を検出すると、制御部１６０は、ユーザが選局したチャンネルに割り当てられた周波数にチューニングするように、チューナ部１１０に指示し、選局処理を開始する（ステップＳ１３）。この選局処理中には、ディスプレイＤＳＰは、放送受信装置１００が選局処理であることを示す画面が表示される（例えば図３の地球または「選局中」など）。番組情報判定部１６２は、選局したチャンネルに放送サービスが提供されているか否かを、ステップＳ１２の判定結果に基づき判定する（ステップＳ１４）。放送サービスが提供されていると判定された場合、振動制御部１６４は、放送サービスが提供されている（番組を放送している）ことを示す振動パターンＡ（例えば、「ブルッ」のような短い１回の振動）で振動するように、タッチパネルＴＰを制御する（ステップＳ１５）。ステップＳ１４にて放送サービスが提供されていないと判定された場合、振動制御部１６４は、放送サービスが提供されていないことを示す振動パターンＢ（例えば、「カチッ」のようなクリック感を１回与える振動）で振動するように、タッチパネルＴＰを制御する（ステップＳ１６）。
【００１８】
図３（ａ）は、放送サービスが提供されている場合（放送波がある場合）、同図（ｂ）は放送サービスが提供されていない場合（放送波がない場合）の放送受信装置１００を示している。ユーザがチャンネル１（放送波あり）に切り換えるべく、タッチペンＰＥＮを用いて、タッチパネルＴＰに表示された数値キーＫＥＹ１の「１」を触れるまたは押下げると、振動制御部１６４は、上述した処理により、タッチパネルＴＰを「ブルッ」という振動パターンで振動させ、チャンネル２（放送波なし）に切り換えるべく数値キーＫＥＹ１の「２」を押下げると、「カチッ」という振動パターンで振動させる。
【００１９】
なお、図３の例ではチャンネルを切り換えるのに数値キーＫＥＹ１を用いる場合について説明したが、図１３のように、チャンネルを順次切り換えるシフトキーＫＥＹ２を用いることもできる。この場合も同様に、ユーザがシフトキーＫＥＹ２を押下げて切り換えた先のチャンネルが、放送サービスが提供されていないチャンネルに相当する場合は、振動制御部１６４は、タッチパネルＴＰを、放送サービスが提供されているチャンネルとは異なるパターンで振動させる。このシフトキーＫＥＹ２を用いて選局する場合は、以降で述べる実施例について同様である。
【００２０】
第２の実施例
本発明による放送受信装置１００の第２の実施例では、ユーザがタッチパネルＴＰに表示されたキーによってチャンネルを切り換える際に、番組放送が終了しているチャンネル（例えば、深夜等）を選択すると、放送受信装置１００は、タッチパネルＴＰを、放送サービスを提供しているチャンネルを選択した場合とは異なるパターンで振動するように制御する。なお、第１の実施例と同様に、この制御はユーザの選局に対して即座（同時）に行われて、ユーザが指又はペンでタッチパネルに触れている間に振動を伝えるようにするのが好適である。図６に、第２の実施例を説明する放送受信装置１００の概略図を、図７に、第２の実施例の制御フローチャートを示す。図７のフローチャートにおいて、事前にＥＰＧ情報を取得するステップ（ステップＳ２０）およびテレビアプリを起動するステップ（ステップＳ２１）は、第１の実施例のステップＳ１０およびステップＳ１１と同様であるため説明を省略する。
【００２１】
番組情報判定部１６２は、番組情報記憶部１８２に格納したＥＰＧ情報と図示しない時計手段とに基づき、番組を放送しているチャンネルを判定し、判定結果を記憶部１８０に格納する（ステップＳ２２）。ユーザによるタッチパネルＴＰを介したチャンネルの切り換え要求を検出すると、制御部１６０は、ユーザが選局したチャンネルに割り当てられた周波数にチューニングするように、チューナ部１１０に指示し、選局処理を開始する（ステップＳ２３）。この選局処理中には、ディスプレイＤＳＰは、放送受信装置１００が選局処理中であることを示す画面が表示される。番組情報判定部１６２は、選局したチャンネルが番組を放送しているか否かを、ステップＳ２２での判定結果に基づき判定する（ステップＳ２４）。番組を放送していると判定された場合、振動制御部１６４は、番組を放送していることを示す振動パターンＡ（例えば、「ブルッ」という振動）で振動するように、タッチパネルＴＰを制御する（ステップＳ２５）。ステップＳ２４にて番組が放送されていないと判定された場合、振動制御部１６４は、放送サービスが提供されていないことを示す振動パターンＢ（例えば、「カチッ」という振動）で振動するように、タッチパネルＴＰを制御する（ステップＳ２６）。
【００２２】
図６（ａ）は、番組を放送している場合、同図（ｂ）は番組を放送していない場合の放送受信装置１００を示している。ユーザがチャンネル１（放送波あり）に切り換えるべく、タッチペンＰＥＮを用いて、タッチパネルＴＰに表示された数値キーを押下げると、番組放送中である場合、振動制御部１６４は、上述した処理により、タッチパネルＴＰを「ブルッ」という振動パターンで振動させ、深夜等で番組放送が終了している場合、「カチッ」という振動パターンで振動させる。  
【００２３】
第３の実施例
本発明による放送受信装置１００の第３の実施例では、放送受信装置１００は、ユーザがタッチパネルＴＰに表示されたキーによってチャンネルを切り換える際に、番組のジャンル毎に異なるパターンで振動するように、タッチパネルＴＰを制御する。なお、第１、２の実施例と同様に、この制御はユーザの選局に対して即座（同時）に行われて、ユーザが指又はペンでタッチパネルに触れている間に振動を伝えるようにするのが好適である。図８に、第３の実施例を説明する放送受信装置１００の概略図を、図９に、第３の実施例の制御フローチャートを示す。図９のフローチャートにおいて、事前にＥＰＧ情報を取得するステップ（ステップＳ３０）およびテレビアプリを起動するステップ（ステップＳ３１）は、第１の実施例のステップＳ１０およびステップＳ１１と同様であるため説明を省略する。
【００２４】
番組情報判定部１６２は、番組情報記憶部１８２に格納したＥＰＧ情報に基づいて各チャンネルで放送している番組のジャンルを判定し、判定結果を記憶部１８０に格納する（ステップＳ３２）。ユーザによるタッチパネルＴＰを介したチャンネルの切り換え要求を検出すると、制御部１６０は、ユーザが選局したチャンネルに割り当てられた周波数にチューニングするように、チューナ部１１０に指示し、選局処理を開始する（ステップＳ３３）。この選局処理中には、ディスプレイＤＳＰは、放送受信装置１００が選局処理中であることを示す画面が表示される。番組情報判定部１６２は、選局したチャンネルが放送している番組のジャンルを、ステップＳ３２での判定結果に基づいて判定し、振動制御部１６４は、その判定結果に基づき、番組ジャンル毎に異なる振動パターンで振動するように、タッチパネルＴＰを制御する（ステップＳ３４）。
【００２５】
図８（ａ）は、ニュース番組を放送している場合、同図（ｂ）はドラマを放送している場合の放送受信装置１００を示している。ユーザがチャンネル１に切り換えるべく、タッチパネルＴＰに表示された数値キーを押下げると、振動制御部１６４は、上述した処理により、タッチパネルＴＰを、「ニュース」が放送していることを示す振動パターン（例えば「ブルッ」という振動）で振動させ、チャンネル４を押下げると、「ドラマ」を放送していることを示す振動パターン（例えば、「ブ〜」のような長い１回の振動）で振動させる。
【００２６】
第４の実施例
本発明による放送受信装置１００の第４の実施例では、ユーザが好んで視聴する番組のジャンルまたはキーワードを放送受信装置１００に予め設定しておき、放送受信装置１００は、ユーザがタッチパネルＴＰに表示されたキーによってチャンネルを切り換える際、設定された番組のジャンル（「ニュース」、「スポーツ」など）またはキーワードを含む番組を放送しているチャンネルに該当するキーを選択すると、該当しないキーを選択した場合とは異なるパターンで振動するようにタッチパネルＴＰを制御する。なお、この制御は第１〜３の実施例と同様にユーザの選局に対して即座（同時）に行われて、ユーザが指又はペンでタッチパネルに触れている間に振動を伝えるようにするのが好適である。ここで、キーワードには、人名や物の名前を用いることもでき、放送受信装置１００は、ユーザによって操作入力部ＴＰから入力された番組のジャンルおよびキーワードを、記憶部１８０に格納する。図１０、１１に、第４の実施例を説明する放送受信装置１００の概略図を、図１２に、第４の実施例の制御フローチャートを示す。図１２のフローチャートにおいて、事前にＥＰＧ情報を取得するステップ（ステップＳ４０）およびテレビアプリを起動するステップ（ステップＳ４１）は、第１の実施例のステップＳ１０およびステップＳ１１と同様であるため説明を省略する。
【００２７】
ステップＳ４１でテレビアプリを起動すると、番組情報判定部１６２は、番組のジャンルまたはキーワードが予め設定されているか（記憶部１８０に格納されているか）否かを判定し（ステップＳ４２）、ジャンルまたはキーワードが設定されていた場合、ＥＰＧ情報を照合し、当該ジャンル又はキーワードに該当する番組を放送中のチャンネルを、記憶部１８０に格納する（ステップＳ４３）。ユーザによるタッチパネルＴＰを介したチャンネルの切り換え要求を検出すると、制御部１６０は、ユーザが選局したチャンネルに割り当てられた周波数にチューニングするように、チューナ部１１０に指示し、選局処理を開始する（ステップＳ４４）。この選局処理中には、ディスプレイＤＳＰは、放送受信装置１００が選局処理であることを示す画面が表示される。番組情報判定部１６２は、選局したチャンネルが放送している番組のジャンルが、ユーザによって設定された番組のジャンルに該当するか否か、または、選局した番組が、ユーザによって設定されたキーワードを含むか否かを、ステップＳ４４での判定結果に基づいて判定する（ステップＳ４５）。
【００２８】
該当すると判定された場合、振動制御部１６４は、切り換え先のチャンネルが設定された番組のジャンルまたはキーワードに該当することを示す振動パターンＣ（例えば、「ブルブル」ような振幅の大きい２回の振動）で振動するように、タッチパネルＴＰを制御する（ステップＳ４６）。該当しないと判定された場合、振動制御部１６４は、切り換え先のチャンネルが設定されたジャンルまたはキーワードに該当しないことを示す振動パターンＡ（例えば、「ブルッ」という振動）で振動するように、タッチパネルＴＰを制御する（ステップＳ４７）。この場合は、特にチャンネル毎に振動を制御する必要はなく、他の全てのチャンネルで同じ振動パターンで振動させてもよい。ここで、番組のジャンルおよびキーワードは、放送受信装置１００にさらに番組の表示履歴（表示したチャンネル、時刻等）を格納する手段を設け、その表示履歴とＥＰＧとに基づいて、放送受信装置１００が自動的に設定するようにすることもできる。
【００２９】
図１０は番組のジャンルを設定している場合の放送受信装置１００を示す。例えば「スポーツ」というジャンルが設定され、ユーザは、「野球中継」を視聴したい場合を想定する。この場合、ユーザは、テレビアプリの起動後、「スポーツ」に該当することを示す振動パターン（例えば、「ブブブ」のような細かい３回の振動）で振動するチャンネルを押下げるまで、チャンネル１から順番にタッチパネルＴＰに表示された数値キーを押下げていけばよい。該当するチャンネルであれば、処理部１４０によって放送データがデコードされ、ディスプレイＤＳＰに映像が表示されるのを待ち、「野球中継」でなければ（例えば「サッカー中継」であれば）、再度「ブブブ」という振動パターンで振動するチャンネルを押下げるまで、数値キーを押下げていけばよい。このようにすれば、「スポーツ」に該当しないことを示す振動パターン（例えば、「ブルッ」という振動）で振動するチャンネルにおいて、デコード処理に時間のかかる番組映像がディスプレイに表示されるのを待つことがなくなるため、ユーザは、より迅速に視聴したい番組に切り換えることができる。
【００３０】
図１１は、キーワードを設定している場合の放送受信装置１００を示す。図１０を用いて説明した場合と同様に、設定されたキーワードを含む番組のチャンネルに該当する数値キーを押下げた場合、振動制御部１６４は、キーワードを含むことを示す振動パターン（例えば、「ブルブル」という振動）でタッチパネルＴＰを振動させる。
【００３１】
また、ユーザによって切り換えられた先のチャンネルがコマーシャル（ＣＭ）を放送していることが予め分かっていれば、第３、４の実施例において「番組のジャンル」を「ＣＭ」に置き換えた同様の処理により、ＣＭを放送していることを示す振動パターンで振動するようにすることもできる。
【００３２】
ここで、上述した第１〜４の実施例では、切り換え先のチャンネルの番組情報を、タッチパネルを振動させることでユーザに報知しているが、ディスプレイＤＳＰに番組情報をポップアップ表示させることも有効である。なお、この場合、ユーザがディスプレイＤＳＰを注視する必要および文字を読む必要が生じて番組情報を即時に把握しにくいため、ポップアップ表示は補助的なものとして、タッチパネルの振動と同時に用いることが好適である。ポップアップ表示としては、各実施例に対して例えば以下のようにすることができる。
実施例１  「選択したチャンネルに割り当てられた放送はありません」
実施例２  「このチャンネルは本日の放送を終了しました」
実施例３  「選択したチャンネルはニュース番組を放送しています」
実施例４  「選択したチャンネルは設定されたキーワードに該当する番組を放送しています」
【００３３】
また、第３および第４の実施例を組み合わせて、番組のジャンル毎に振動パターンを変えると共に、ユーザによって設定された番組のジャンルまたはキーワードに相当する番組であることをユーザに報知することもできる。この場合、番組のジャンル毎に振動パターンを変えつつ、ユーザによって設定された番組のジャンルに相当する番組であった場合はより強く振動するようにタッチパネルを制御したり、番組のジャンルに対応する各振動パターンとは別の振動パターンを規定してもよい。
【００３４】
上述の説明では、タッチパネルＴＰは数値キーおよび選局シフトキーの両方を表示しているが、これに限定されるものではなく、例えばどちらか一方のみを表示するようにユーザが設定できるようにしてもよい。このようにすれば、例えばキーを大きく表示することで、キーを選択ミスする回数を低減することができる。また、本発明による放送受信装置１００を折り畳み型として説明しているが、これに限定されるものではなく、ディスプレイ（表示部）を備える層とタッチパネル（操作入力部）を備える層の２つの層を重ね合わせ、その２つの層をスライドさせることによってタッチパネルを出現させるスライド型や、ディスプレイおよびタッチパネルを同一の面に並べて構成する（ストレート）型とすることもできる。さらに、操作入力部および振動部としてタッチパネルを例として説明したが、これに限定されるものではなく、操作入力部と振動部を、例えば一般的なキーパッド／ボタンと微小モータによって構成することもできる。
【００３５】
なお、本発明をプログラムとして実現させ、無線通信機能を利用してインターネット網からダウンロードし、放送受信装置の記憶部に格納して、上述した諸機能をもたせることもできる。
【００３６】
本発明を諸図面や実施例に基づき説明してきたが、当業者であれば本開示に基づき種々の変形や修正を行うことが容易であることに注意されたい。したがって、これらの変形や修正は本発明の範囲に含まれることに留意されたい。例えば、各手段、各ステップなどに含まれる機能などは論理的に矛盾しないように再配置可能であり、複数の手段やステップなどを１つに組み合わせたり、あるいは分割したりすることが可能である。
【図面の簡単な説明】
【００３７】
【図１】本発明による放送受信装置のブロック図の一例である。
【図２】本発明による放送受信装置の概略図である。
【図３】本発明による放送受信装置の第１の実施例を説明する概略図である。
【図４】本発明による放送受信装置の第１の実施例の制御フローチャートである。
【図５】ＥＰＧの一例を示す図である。
【図６】本発明による放送受信装置の第２の実施例を説明する概略図である。
【図７】本発明による放送受信装置の第２の実施例の制御フローチャートである。
【図８】本発明による放送受信装置の第３の実施例を説明する概略図である。
【図９】本発明による放送受信装置の第３の実施例の制御フローチャートである。
【図１０】本発明による放送受信装置の第４の実施例を説明する概略図である。
【図１１】本発明による放送受信装置の第４の実施例を説明する概略図である。
【図１２】本発明による放送受信装置の第４の実施例の制御フローチャートである。
【図１３】本発明による放送受信装置の第１の実施例を説明する概略図である。
【符号の説明】
【００３８】
１００  放送受信装置
１１０  チューナ部
１２０  復調部
１３０  分岐部
１４０  処理部
１４２  音声処理部
１４４  映像処理部
１４６  データ処理部
１５０  表示部
１６０  制御部
１６２  番組情報判定部
１６４  振動制御部
１７０  無線部
１８０  記憶部
１８２  番組情報記憶部
１９０  振動部
２００  番組情報取得部
ＳＰ  スピーカ
ＴＰ  操作入力部（タッチパネル）
ＡＮＴ１、ＡＮＴ２  アンテナ
ＤＩＳ  ディスプレイ
ＫＥＹ  キー群
ＫＥＹ１  数値キー
ＫＥＹ２  シフトキー
ＰＥＮ  タッチペン
【図１】
2008187356.tif 000003
【図２】
2008187356.tif 000004
【図３】
2008187356.tif 000005
【図４】
2008187356.tif 000006
【図５】
2008187356.tif 000007
【図６】
2008187356.tif 000008
【図７】
2008187356.tif 000009
【図８】
2008187356.tif 000010
【図９】
2008187356.tif 000011
【図１０】
2008187356.tif 000012
【図１１】
2008187356.tif 000013
【図１２】
2008187356.tif 000014
【図１３】
2008187356.tif 000015